(57)【要約】【課題】液晶表示器専用の光源を不要とし、部品点数の増加、回路パターンの複雑化、設計工数の増加等を防止する。【解決手段】液晶表示器３の背面に配置されて、液晶表示器用以外の光源４ａ、４ｂから供給される光を拡散して液晶表示器３の背面に供給する液晶表示器用拡散板２であって、液晶表示器３の背面よりも広い形状であり、光源４ａ、４ｂから出射される光を取り込むと同時にこの光の液晶表示器３への直射を遮るために、一辺から光源４ａ、４ｂ側に張り出すように形成された凸片部２ｃ、２ｅを有する。また、本体ケース１には、光源４ａ、４ｂからの光を液晶表示器用拡散板２に向けて反射させる反射面１１ｃが形成されている。【選択図】図１
2007017482.tif 000002
【特許請求の範囲】
【請求項１】
液晶表示器の背面に配置されて、液晶表示器用以外の所定光源からの光を拡散して前記液晶表示器の背面に供給する拡散板であって、
前記液晶表示器の背面よりも広い形状であり、
前記所定光源からの光を取り込むと同時にこの光の前記液晶表示器への直射を遮るために、一辺から前記光源側に張り出すように形成された凸片部又は張出し部、
を有することを特徴とする液晶表示器用拡散板。
【請求項２】
請求項１記載の液晶表示器用拡散板であって、
蛍光色で透明の拡散材料で形成される、
ことを特徴とする液晶表示器用拡散板。
【請求項３】
請求項１又は請求項２記載の液晶表示器用拡散板であって、
前記凸片部又は張出し部と対向する他辺から、前記液晶表示器の端子部を避けるように形成された、所定の取り付け部位に対するこの拡散板の位置決めに利用される、拡散板側位置決手段、
を有することを特徴とする液晶表示器用拡散板。
【請求項４】
請求項１〜請求項３のいずれか一項記載の液晶表示器用拡散板を用いた車載計器であって、
前記所定光源として利用可能な指針照明用光源又は文字板照明用光源と、
前記所定光源からの光を前記液晶表示器用拡散板に向けて反射させる反射面と、
を有することを特徴とする車載計器。
【請求項５】
請求項４記載の車載計器であって、
前記反射面は、前記液晶表示器の長辺と同等の長さの長辺を有する矩形状であり、
前記反射面の両短辺に沿って対向するように立設された側壁、
を有することを特徴とする車載計器。
【請求項６】
請求項５記載の車載計器において、
前記反射面の上側長辺に隣接され、前記液晶表示器用拡散板の前記拡散板側位置決手段に対応して形成された、前記液晶表示器用拡散板の位置決めに利用される、計器側位置決手段、
を有することを特徴とする車載計器。
【発明の詳細な説明】
【技術分野】
【０００１】
本発明は、液晶表示器の背面に配置されて、所定光源からの光を拡散して液晶表示器の背面に供給する拡散板及びこれを用いた車載計器に関する。
【背景技術】
【０００２】
周知のように、車載計器には、速度計やエンジン回転計の他に累積走行距離等を表示するための液晶表示器が含まれている。この液晶表示器は、通常、文字板等と同様にバックライト照明されている。
【０００３】
図７は、このような液晶表示器を含む従来の車載計器の一部を示す断面図である。図７に示すように、この種の車載計器においては、図示しない本体ケース内に基板９５が装着されている。基板９５には、指針及び文字板照明用の光源９４ａ、液晶表示器用光源９４ｂ、ムーブメント９６、液晶表示器９３等の電子部品が搭載されている。ムーブメント９６の回転軸９６ａに挿通される指針９８は、所定制御信号に応答して、文字板９９上に形成された目盛りやマークを示す所定意匠を指示する。また、基板９５に端子９３ｄが接続された液晶表示器９３は、累積走行距離等を表示する。
【０００４】
このような構成において、指針及び文字板照明用の光源９４ａからの光は、導光板９７に入射した後、導光板９７内を進行して、文字板９９上に形成された意匠や指針９８を照明する。一方、液晶表示器用光源９４ｂからの光は、液晶表示器９３の背面側に直射して、液晶表示器９３をバックライト照明する。なお、このような構成の従来の車載計器は、下記特許文献１にも示されている。
【特許文献１】特開平９−２３７０５０号公報
【発明の開示】
【発明が解決しようとする課題】
【０００５】
上述のように、従来の車載計器においては、液晶表示器用光源９４ｂは、筒状壁９１ａに囲まれて、指針及び文字板照明用の光源９４ａとは別室に配置されている。すなわち、液晶表示器用光源９４ｂは、指針及び文字板照明用の光源９４ａとは別途、専用に設けられている。
【０００６】
このため、計器内に搭載すべき光源の数が増加すると共に、これにともない光源用回路パターンも各光源に対応して別々に必要となる。したがって、部品点数の増加、回路パターンの複雑化、設計工数の増加等の問題が発生していた。更に、これに筒状壁９１ａも加わって、計器全体の重量が増大するという問題も発生していた。
【０００７】
よって本発明は、上述した現状に鑑み、液晶表示器専用の光源を不要とし、部品点数の増加、回路パターンの複雑化、設計工数の増加等を防止することができる、液晶表示器用拡散板及びこれを用いた車載計器を提供することを課題とする。
【課題を解決するための手段】
【０００８】
上記課題を解決するためになされた請求項１記載の液晶表示器用拡散板は、液晶表示器の背面に配置されて、液晶表示器用以外の所定光源からの光を拡散して前記液晶表示器の背面に供給する拡散板であって、前記液晶表示器の背面よりも広い形状であり、前記所定光源からの光を取り込むと同時にこの光の前記液晶表示器への直射を遮るために、一辺から前記光源側に張り出すように形成された凸片部又は張出し部、を有することを特徴とする。
【０００９】
請求項１記載の発明によれば、液晶表示器用以外の光源側に張り出すように形成された凸片部又は張出し部により、この光源からの光を取り込むと同時に、液晶表示器への直射光を遮ることができる。これにより、液晶表示器用以外の光源を利用して、液晶表示器を効率的に照明することが可能になる。
【００１０】
上記課題を解決するためになされた請求項２記載の液晶表示器用拡散板は、請求項１記載の液晶表示器用拡散板であって、蛍光色で透明の拡散材料で形成される、ことを特徴とする。
【００１１】
請求項２記載の発明によれば、液晶表示器用拡散板は蛍光色で透明の拡散材料で形成されるので、より高輝度の照明光を供給することが可能になる。
【００１２】
上記課題を解決するためになされた請求項３記載の液晶表示器用拡散板は、請求項１又は請求項２記載の液晶表示器用拡散板であって、前記凸片部又は張出し部と対向する他辺から、前記液晶表示器の端子部を避けるように形成された、所定の取り付け部位に対するこの拡散板の位置決めに利用される、拡散板側位置決手段、を有することを特徴とする。
【００１３】
請求項３記載の発明によれば、液晶表示器の端子部を避けるように形成された拡散板側位置決手段により、この拡散板の取り付け作業を容易にする。
【００１４】
上記課題を解決するためになされた請求項４記載の車載計器は、請求項１〜請求項３のいずれか一項記載の液晶表示器用拡散板を用いた車載計器であって、前記所定光源として利用可能な指針照明用光源又は文字板照明用光源と、前記所定光源からの光を前記液晶表示器用拡散板に向けて反射させる反射面と、を有することを特徴とする。
【００１５】
請求項４記載の発明によれば、指針照明用光源又は文字板照明用光源が、反射面によって液晶表示器用拡散板に向けて反射される。また、上述のような光源側に張り出すように形成された拡散板の凸片部又は張出し部により、指針照明用光源又は文字板照明用光源からの光を取り込むと同時に液晶表示器への直射光を遮ることができる。これらにより、液晶表示器用以外の光源である指針照明用光源又は文字板照明用光源を利用して、液晶表示器を効率的に照明することができる。
【００１６】
上記課題を解決するためになされた請求項５記載の車載計器は、請求項４記載の車載計器であって、前記反射面は、前記液晶表示器の長辺と同等の長さの長辺を有する矩形状であり、前記反射面の両短辺に沿って対向するように立設された側壁、を有することを特徴とする。
【００１７】
請求項５記載の発明によれば、反射面の両短辺に沿って対向するように立設された側壁によって、より効率的に反射光を液晶表示器用拡散板に供給することができる。
【００１８】
上記課題を解決するためになされた請求項６記載の車載計器は、請求項５記載の車載計器において、前記反射面の上側長辺に隣接され、前記液晶表示器用拡散板の前記拡散板側位置決手段に対応して形成された、前記液晶表示器用拡散板の位置決めに利用される、計器側位置決手段、を有することを特徴とする。
【００１９】
請求項６記載の発明によれば、液晶表示器用拡散板の位置決めに利用される、拡散板側位置決手段に対応した計器側位置決手段によって、液晶表示器用拡散板の取り付けが容易になる。
【発明の効果】
【００２０】
請求項１記載の発明によれば、液晶表示器用以外の光源側に張り出すように形成された凸片部又は張出し部により、この光源からの光を取り込むと同時に、液晶表示器への直射光を遮ることができる。これにより、液晶表示器用以外の光源を利用して、液晶表示器を効率的に照明することが可能になる。したがって、液晶表示器専用の光源を不要とし、部品点数の増加、回路パターンの複雑化、設計工数の増加等を防止することが可能になる。
【００２１】
請求項２記載の発明によれば、液晶表示器用拡散板は蛍光色で透明の拡散材料で形成されるので、より高輝度の照明光を供給することが可能になる。
【００２２】
請求項３記載の発明によれば、液晶表示器の端子部を避けるように形成された拡散板側位置決手段により、この拡散板の取り付け作業を容易にするという効果が付加される。
【００２３】
請求項４記載の発明によれば、指針照明用光源又は文字板照明用光源が、反射面によって液晶表示器用拡散板に向けて反射される。また、上述のような光源側に張り出すように形成された拡散板の凸片部又は張出し部により、指針照明用光源又は文字板照明用光源からの光を取り込むと同時に液晶表示器への直射光を遮ることができる。これらにより、液晶表示器用以外の光源である指針照明用光源又は文字板照明用光源を利用して、液晶表示器を効率的に照明することができる。したがって、液晶表示器専用の光源を不要とし、部品点数の増加、回路パターンの複雑化、設計工数の増加等を防止することができる。更に、これにともなって、液晶表示器照明用の筒状壁も不要となり、計器全体の軽量化も促進される。
【００２４】
請求項５記載の発明によれば、反射面の両短辺に沿って対向するように立設された側壁によって、より効率的に反射光を液晶表示器用拡散板に供給することができる。したがって、液晶表示器の良好な視認性も維持できる。
【００２５】
請求項６記載の発明によれば、液晶表示器用拡散板の位置決めに利用される、拡散板側位置決手段に対応した計器側位置決手段によって、液晶表示器用拡散板の取り付けが容易になる。したがって、計器の組立作業の効率化も促進される。
【発明を実施するための最良の形態】
【００２６】
以下、本発明の実施の形態を図面に基づいて説明する。図１は、本発明の一実施形態に係る液晶表示器用拡散板及びこれを用いた車載計器の一部を示す斜視図である。図２は、本発明の一実施形態に係る液晶表示器用拡散板を示す平面図である。図３は、図１に対応し、本体ケースに液晶表示器用拡散板を取り付けた状態を示す平面図、図４は、図１に対応し、本体ケースに液晶表示器用拡散板及び液晶表示器を取り付けた状態を示す平面図である。図５は、図４のＸＸ線断面図である。図６は、液晶表示器用拡散板の変形例を示す平面図である。
【００２７】
図１に示すように、この車載計器は、例えば、速度計、回転計等が一体化されたコンビネーションメータである。この車載計器は横長の箱形をしており、本体ケース１、液晶表示器用拡散板２、液晶表示器３、基板５（図５参照）、文字板７（図５参照）、裏カバー（不図示）、見返し（不図示）、表ガラス（不図示）等を含んで構成される。
【００２８】
本体ケース１は、例えば、黒色の樹脂製であり、横長の浅皿形状をしている。この本体ケース１は、図１、図３〜図５に示すように、エンジン回転計や速度計にそれぞれ対応して略半円のお椀状に掘り下げられたような形状をしている。それらの斜面には、文字板７の背面に効率的に光を反射させるための、外側に向けて徐々に広がるように反射面１２が形成されている。また、それらの底面部には、文字板７に形成された意匠や指針８を照明するための、複数の光源４ａ及び４ｂが配置されている。正確には、底面部は開口しており、光源４ａ及び４ｂは基板５上に搭載されている。底面部の中央には、指針８の回転軸８１に対応する筒状部１３が、腕部１３ａに持ち上げられるようにして、設けられている。更に、本体ケース１の側面部には、図示しないインストルメントパネルに取り付ける際に利用される、固定部１４が設けられている。
【００２９】
また、本体ケース１において、液晶表示器３が取り付けられる部分には、図１、図３〜図５に示すように、外側に向かうにしたがって徐々に起立していくように、矩形状の反射面１１ｃが設けられている。反射面１１ｃは、液晶表示器３の長辺と同等の長さの長辺を有し、その両短辺に沿って対向するように側壁１１ｅ、１１ｄが立設されている。両側壁１１ｅ、１１ｄは、より効率的に反射光を液晶表示器用拡散板２に供給するために有効となる。
【００３０】
また、反射面１１ｃの上側長辺に隣接した部分、すなわち、反射面１１ｃの頂上付近は、液晶表示器用拡散板２を安定的に保持するために平面状になっており、特に、液晶表示器用拡散板２の位置決孔２ａ、２ｂ（請求項の拡散板側位置決手段に対応）に対応する部分には、位置決突起１１ａ、１１ｂ（請求項の計器側位置決手段に対応）が突設されている。更に、両位置決突起１１ａ、１１ｂに挟まれるように、液晶表示器３の端子が挿入される端子孔１１ｄが設けられている。
【００３１】
液晶表示器用拡散板２は、液晶表示器３の背面に配置されて、液晶表示器用以外の所定光源、例えば、上記文字板７に形成された意匠や指針８を照明するための光源４ａ、４ｂ等から供給される光を利用して液晶表示器３を効率的に照明するためのものある。液晶表示器用拡散板２は、例えば、緑系の蛍光色で透明の拡散材料で形成され、その基本形状は、図１〜図５に示すように、液晶表示器３の背面よりも広い板状である。詳しくは、液晶表示器用拡散板２は、上記光源４ａ、４ｂ等から供給される光を取り込むと同時にこの光の液晶表示器３への直射を遮るために、一辺から光源側に張り出すように形成された凸片部２ｃ、２ｅを有している。凸片部２ｃ、２ｅは、ケース側から張り出した凸部２ｇの形状に対応している。また、凸片部２ｃ、２ｅと対向する他辺には、液晶表示器３の端子部３ｄを避けるように形成された位置決孔２ａ、２ｂが設けられている。
【００３２】
このような液晶表示器用拡散板２の凸片部２ｃ、２ｅによって、光源からの光を効率的に取り込むと同時に、液晶表示器３への直射光を遮ることが可能になる。また、液晶表示器用拡散板３は蛍光色で透明の拡散材料で形成されるので、より高輝度の照明光を供給することが可能になる。したがって、液晶表示器用拡散板２を用いることにより、液晶表示器用以外の光源を利用しつつ、液晶表示器３を非常に効率的に照明することが可能になる。また、凸片部２ｃ、２ｅ及び対向する他辺に形成された位置決孔２ａ、２ｂによって、組み付け作業も容易になる。
【００３３】
液晶表示器３は、周知のように、矩形状をしており、累積走行距離等をディジタル表示するデバイスである。表示面にはトリップ／オド識別情報や累積走行距離が表示され、背面側からバックライト照明される。液晶表示器３は電源や信号用の端子３ｄを有し、この端子３ｄは本体ケース１側の端子孔１１ｄに挿入される。端子３ｄが端子孔１１ｄに挿入されると、液晶表示器用拡散板２は液晶表示器３と本体ケース１との間に挟持される。
【００３４】
なお、図５に示すように、基板５には、所定の計測信号に応答して、指針８を回転させるためのムーブメント６、文字板７に形成された各種意匠や指針８を照明するための複数の光源４ａ及び４ｂ、その他の図示しない電子部品等が搭載されている。また、文字板７には、速度計やエンジン回転計に対応する目盛りやマーク、各種ワーニング、方向指示等に関する意匠が形成されている。また、文字板７上の指針軸に対応する箇所には円孔７１が穿設され、液晶表示器３の表示面に箇所には矩形状の窓７２が穿設されている。指針８は、指針袴８１が、ムーブメント６の指針軸６ａに挿通され、所定の計測信号に応答して、回転されて文字板７上の所定の意匠を指示する。
【００３５】
更に、この車載計器には、図示しないが、周知のように、黒色の樹脂製の裏カバーや見返し、表ガラス等も含まれている。
【００３６】
組み付け時においては、液晶表示器用拡散板２の凸片部２ｃ、２ｅが形成されている辺を筒状部１３側にあてがいながら、液晶表示器用拡散板２の位置決孔２ａ、２ｂを本体ケース１の置決め突起１１ａ、１１ｂにはめ込む。そうすると、図３に示すように、液晶表示器用拡散板２は本体ケース１の所定の取付位置に仮固定される。次に、液晶表示器３の端子３ｄを本体ケース１の端子孔１１ｄに位置合わせし、端子３ｄを端子孔１１ｄに挿入するように、液晶表示器３を押し込む。そうすると、図４に示すように、液晶表示器用拡散板２は本体ケース１の所定の取付位置に固定される。そして、この上から、文字板７等を取り付けるようにする。
【００３７】
このような構成の車載計器及び液晶表示器用拡散板の作用及び効果について、図５を用いて説明する。例えば、エンジンキーのアクセサリポジションへの切り替えやランプスイッチのオン等のような所定のトリガーに応答して、光源４ａ、４ｂが点灯する。そうすると、光源４ａ、４ｂからの光は、Ｒｅに示すように直接的に、又は上記反射面１２（図１参照）で反射されて、文字板７上の背面に入射する。これによって、文字板７上の各意匠が照明される。また、光源４ａ、４ｂからの光は、Ｒｃ、Ｒｄに示すように、筒状部１３を上方に進行して、指針８の基端部に入射する。この入射光は指針８内を先端に向けて進行し、これによって指針８が照明される。
【００３８】
また、光源４ａ、４ｂからの光は、Ｒａに示すように、反射面１１ｃにて反射されて、液晶表示器用拡散板２に入射する。また、光源４ａ、４ｂからの光は、液晶表示器用拡散板２に直接入射し、特に、Ｒｂに示すように、光源４ａ、４ｂにより近接する凸片部２ｃ、２ｅにて積極的に取り込まれる。このようにして、液晶表示器用拡散板２に入射した光は、蛍光色で透明の拡散板２を介して、液晶表示器３の背面に供給される。この結果、液晶表示器用以外の光源である、光源４ａ、４ｂからの光を利用して、液晶表示器３を効率的に照明することができる。すなわち、液晶表示器３を照明するための専用光源が不要になる。また、Ｒｂに示す光は、凸片部２ｃ、２ｅにて取り込まれると同時に、この凸片部２ｃ、２ｅにて液晶表示器３への直射が遮断される。これにより、光Ｒｂに起因する照明ムラも軽減される。
【００３９】
なお、図６の変形例に示すように、ケース側に上記凸部２ｇがない場合には、液晶表示器用拡散板２には、上記凸片部２ｃ、２ｅに替えて、光源側に張り出す張出し部２ｆを設けるだけでよい。張出し部２ｆを設けたことによる作用及び効果は、上記凸片部２ｃ、２ｅの作用及び効果と同様となるので重複説明は省略する。このように、ケース側の形状に応じて、液晶表示器用拡散板２の形状も適宜変更可能である。
【００４０】
以上説明したように、本発明の実施形態によれば、液晶表示器用以外の光源である、例えば、指針照明用又は文字板照明用の光源４ａ、４ｂからの光を利用して、液晶表示器３を効率的に照明することができる。したがって、液晶表示器専用の光源を不要とし、部品点数の増加、回路パターンの複雑化、設計工数の増加等を防止することが可能になる。更に、これにともなって、従来のような液晶表示器照明用の筒状壁も不要となり、計器全体の軽量化も促進される。
【００４１】
なお、上記実施形態の液晶表示器用拡散板は車載計器に適用されることを想定しているが、本発明の液晶表示器用拡散板は車載されない計器にも適用可能である。
【図面の簡単な説明】
【００４２】
【図１】本発明の一実施形態に係る液晶表示器用拡散板及びこれを用いた車載計器の一部を示す斜視図である。
【図２】本発明の一実施形態に係る液晶表示器用拡散板を示す平面図である。
【図３】図１に対応し、本体ケースに液晶表示器用拡散板を取り付けた状態を示す平面図である。
【図４】図１に対応し、本体ケースに液晶表示器用拡散板及び液晶表示器を取り付けた状態を示す平面図である。
【図５】図４のＸＸ線断面図である。
【図６】液晶表示器用拡散板の変形例を示す平面図である。
【図７】液晶表示器を含む従来の車載計器の一部を示す断面図である。
【符号の説明】
【００４３】
１  本体ケース
２  液晶表示器用拡散板
２ｃ、２ｅ  凸片部
２ｆ  張出し部
３  液晶表示器
４ａ、４ｂ  光源
５  基板
６  ムーブメント
７  文字板
８  指針
１１ｃ  傾斜面
１１ｅ、１１ｆ  側壁
【図１】
2007017482.tif 000003
【図２】
2007017482.tif 000004
【図３】
2007017482.tif 000005
【図４】
2007017482.tif 000006
【図５】
2007017482.tif 000007
【図６】
2007017482.tif 000008
【図７】
2007017482.tif 000009